(57)【要約】【課題】太陽光の一部を受けて発電しつつ残りの太陽光により設置場所を照らすことができる、しかし連続して遮られる時間が短い太陽光発電パネルを提供する。【解決手段】太陽光発電パネル１は、透光性のガラス基板２上に複数のセル３を搭載したものであって、セル３の短手方向の幅は２００ｍｍ以下であり、ガラス基板２上における複数のセル３の専有面積は７５％以下である。それにより、太陽光の７５％以下を複数のセル３により受けて発電しつつ、残りの太陽光によりガラス基板２を介して太陽光発電パネル１の設置場所を照らすことができ、セル３の短手方向を東西方向に向けることにより設置場所の一か所において連続して遮られる時間を短くすることができる。【選択図】図１
2017112233.tif 000002
【特許請求の範囲】
【請求項１】
透光性のガラス基板上に複数のセルを搭載した太陽光発電パネルであって、
前記セルの短手方向の幅は２００ｍｍ以下であり、
前記ガラス基板上における前記複数のセルの専有面積は７５％以下であることを特徴とする太陽光発電パネル。
【請求項２】
前記複数のセルは、相互に１０ｍｍ以上離間していることを特徴とする、請求項１に記載の太陽光発電パネル。
【請求項３】
複数の請求項１又は２に記載の太陽光発電パネルと、
前記太陽光発電パネルを地面から２ｍ以上の高さに設置する架台と、
を備える太陽光発電設備。
【請求項４】
前記複数の太陽光発電パネルの前記複数のセルの専有面積が、上面視において、全体の６０％以下であることを特徴とする、請求項３に記載の太陽光発電設備。
【請求項５】
前記複数の太陽光発電パネルは、前記複数のセルのそれぞれの短手方向が略同一方向となるように設置され、
前記略同一方向は、東西方向に対して４５度以下の傾斜となる方向であることを特徴とする、請求項３又は４に記載の太陽光発電設備。
【請求項６】
前記複数の太陽光発電パネルのうちの各２つのパネルが前記略同一方向に隣接して側面視において「へ」の字状に配置され、別の２つのパネルと前記略同一方向に３００ｍｍ以上離間することを特徴とする、請求項５に記載の太陽光発電設備。
【発明の詳細な説明】
【技術分野】
【０００１】
本発明は、太陽光発電パネルに関する。
【背景技術】
【０００２】
太陽光発電パネルを農地の上に設置し、太陽光の一部を太陽光発電パネルにより受けて発電しつつ、残りの太陽光により農地を照らして農作物を栽培するソーラーシェアリングが活用されている。
【０００３】
ソーラーシェアリングでは、農地の日照を確保しつつ発電することが課題となる。特許文献１には、パネルの東西方向の幅を小さくすることで、太陽の移動によって農地全体をほぼ万遍なく照らすことができる太陽光発電設備が開示されている。しかし、パネルの東西方向の幅は１．８ｍであり、農地の一か所において連続して太陽光が遮られる時間が長いという問題がある。
【先行技術文献】
【特許文献】
【０００４】
【特許文献１】特開２０１１−１２９８５２号公報
【発明の概要】
【発明が解決しようとする課題】
【０００５】
本発明は、太陽光の一部を受けて発電しつつ、残りの太陽光により設置場所を照らすことができる、しかし連続して遮られる時間が短い太陽光発電パネルを提供することを課題とする。
【課題を解決するための手段】
【０００６】
本発明は、透光性のガラス基板上に複数のセルを搭載した太陽光発電パネルであって、セルの短手方向の幅は２００ｍｍ以下であり、ガラス基板上における複数のセルの専有面積は７５％以下であることを特徴とする。
【０００７】
これによれば、ガラス基板上における複数のセルの専有面積が７５％以下であることで、太陽光の７５％以下を複数のセルにより受けて発電しつつ残りの太陽光によりガラス基板を介して太陽光発電パネルの設置場所を照らすことができ、セルの短手方向の幅が２００ｍｍ以下であることで、短手方向を東西方向に向けることにより設置場所の一か所において連続して遮られる時間を短くすることができる。なお、「短手方向」はセルの向きに依存して定まるセル幅を最短とする方向である。セルが長方形であれば短辺の方向となる。セルが正方形の場合には、縦辺・横辺のいずれの方向も短手方向となる。
【０００８】
本発明の太陽光発電パネルは、複数のセルは、相互に１０ｍｍ以上離間していることを特徴とする。
【０００９】
これによれば、複数のセルが相互に１０ｍｍ以上離間していることで、複数のセルの間から十分な量の太陽光を通すことができる。
【００１０】
また、本発明は、複数の本発明の太陽光発電パネルと、太陽光発電パネルを地面から２ｍ以上の高さに設置する架台と、を備える太陽光発電設備である。
【００１１】
これよれば、架台により太陽光発電パネルが地面から２ｍ以上の高さに設置されることで、複数の太陽光発電パネルにより発電しつつ、太陽光発電パネルが設置された場所及び太陽光発電パネルの下の空間を活用することができる。
【００１２】
本発明の太陽光発電設備は、複数の太陽光発電パネルの複数のセルの専有面積が、上面視において、全体の６０％以下であることを特徴とする。
【００１３】
これよれば、複数の太陽光発電パネルの複数のセルの専有面積が、上面視において、全体の６０％以下であることで、太陽光の６０％以下を複数のセルにより受けて発電しつつ、残りの太陽光により太陽光発電パネルの設置場所を照らすことができる。
【００１４】
本発明の太陽光発電設備は、複数の太陽光発電パネルは、複数のセルのそれぞれの短手方向が略同一方向となるように設置され、略同一方向は、東西方向に対して４５度以下の傾斜となる方向であることを特徴とする。
【００１５】
これによれば、複数のセルのそれぞれの短手方向が略同一方向である東西方向に対して４５度以下の傾斜となる方向となるように複数の太陽光発電パネルが設置されることで、日照時間において太陽光を効率良く受けつつ太陽光発電パネルの設置場所を照らすことができる。
【００１６】
本発明の太陽光発電設備は、複数の太陽光発電パネルのうちの各２つのパネルが略同一方向に隣接して側面視において「へ」の字状に配置され、別の２つのパネルと略同一方向に３００ｍｍ以上離間することを特徴とする。
【００１７】
これによれば、複数の太陽光発電パネルのうちの各２つのパネルが略同一方向に隣接して側面視において「へ」の字状に配置され、別の２つのパネルと略同一方向に３００ｍｍ以上離間することで、日照時間において太陽光を効率良く受けることができるとともに雨水を下方に排水することができる。
【発明の効果】
【００１８】
本発明の太陽光発電パネルによれば、太陽光の一部を受けて発電しつつ、残りの太陽光により設置場所を照らすことができる、そして、連続して太陽光が遮られる時間を短くすることができる。
【図面の簡単な説明】
【００１９】
【図１】図１は、太陽光発電パネルの構成を示す図である。
【図２】図２は、図１の太陽光発電パネルを含んで構成される太陽光発電設備の構成を示す図である。
【発明を実施するための形態】
【００２０】
以下、本発明の実施例について説明する。
【実施例１】
【００２１】
図１に、太陽光発電パネル１の構成を示す。太陽光発電パネル１は、基板２及び複数のセル３から構成される。
【００２２】
基板２は、複数のセル３を支持する透光性のガラス基板である。基板２は、一例として、長手の長さＤが１６４０ｍｍ及び短手の長さＨが９９２ｍｍの矩形状を有する。
【００２３】
複数のセル３は、基板２上に形成され、太陽光を受光して発電する発電セルである。セル３の１つあたりの発電量は例えば４．２ｋＷである。複数のセル３のそれぞれは、短手の長さを２００ｍｍ以下とする矩形状を有する。本実施形態では、一例として、一辺の長さｄが１５６ｍｍの正方形状を有するものとする。
【００２４】
複数のセル３は、基板２上に、相互に１０ｍｍ以上離間して配列される。本実施形態では、複数のセル３は、離間距離ｗを４４ｍｍとして、縦５及び横８のマトリクス状に配列されている。それにより、１つの太陽光発電パネル１の発電量は１６８ｋＷとなる。また、ガラス基板２上における複数のセル３の専有面積は７５％以下となる。従って、パネル全体で受ける太陽光の７５％以下を複数のセル３により受けて発電しつつ、残りの太陽光により複数のセル３の間からガラス基板２を介して裏面を照らすことができる。
【００２５】
なお、基板２上に、複数のセル３を覆って保護するカバー（不図示）を設けてもよい。カバーは、別のガラス基板、樹脂層等であってもよい。
【実施例２】
【００２６】
図２に、太陽光発電設備２０の構成を示す。図２（Ａ）は太陽光発電設備２０の構成を上面から示す上面図、図２（Ｂ）は正面から示す正面図、及び図２（Ｃ）は側面から示す側面図である。図２（Ａ）における上下方向及び図２（Ｃ）における左右方向を縦方向、図２（Ａ）及び図２（Ｂ）における左右方向を横方向、図２（Ｂ）及び図２（Ｃ）における上下方向を高さ方向とする。ここで、太陽光発電設備２０は、農作物を栽培する農地Ｆ上に設置されるものとする。太陽光発電設備２０は、架台１０及び複数の太陽光発電パネル１から構成される。
【００２７】
架台１０は、複数の太陽光発電パネル１を支持する部材であり、４つのポール１１及びフレーム１２から構成される。４つのポール１１は、それぞれが例えば２ｍ以上の長さを有し、農地Ｆ上に互いに離間して立設される。フレーム１２は、一例として矩形状の枠体であり、その角部にて４つのポール１１により農地Ｆの表面から２ｍ以上の高さに設置される。
【００２８】
複数の太陽光発電パネル１は、透光性の取付板２１を用いて架台１０上に設置される。ここで、取付板２１は、側面視（図２（Ｂ）に示すように太陽光発電設備２０の正面から観て）「へ」の字状に屈曲している。屈曲した取付板２１の一方の面に２つの太陽光発電パネル１が縦方向に並設され、他方の面に別の２つの太陽光発電パネル１が縦方向に並設される。つまり、各２つの太陽光発電パネル１が略同一の横方向に隣接して、側面視において「へ」の字状に配置される。それにより、太陽光発電パネル１に降り注ぐ雨水を下方に排水することができる。
【００２９】
さらに、４つの太陽光発電パネル１が並設された取付板２１は、同様に４つの太陽光発電パネル１が並設された別の取付板２１と左右方向に３００ｍｍ以上離間して、架台２０上に固定される。それにより、日照時間において、計８の太陽光発電パネル１により太陽光を効率良く受けて発電しつつ（総発電量は１３４４ｋＷとなる）、太陽光発電パネル１が設置された農地Ｆ及び太陽光発電パネル１の下の空間を活用することができる。
【００３０】
太陽光発電設備２０の全体として、複数の太陽光発電パネル１の複数のセル３の専有面積は、上面視において、全体の６０％以下であるとする。それにより、太陽光の６０％以下を複数のセル３により受けて発電しつつ、残りの太陽光により太陽光発電パネル１の設置場所である農地Ｆを照らすことができる。
【００３１】
太陽光発電設備２０において、複数の太陽光発電パネル１は、複数のセル３のそれぞれの短手方向（ここでは各セルは正方形状を有するためいずれの一辺）が略同一の左右方向となるように設置され、略同一方向は、東西方向である。設置場所の形状等によって厳密には東西方向とできない場合もありえるが、東西方向に対して４５度以下の傾斜となる方向とすることが好ましい。それにより、日照時間において、太陽光を複数の太陽光発電パネル１により効率良く受けつつそれらが設置された農地Ｆを照らすことができる。
【００３２】
以上詳細に説明したように、本実施形態の太陽光発電パネル１は、透光性のガラス基板２上に複数のセル３を搭載したものであって、セル３の短手方向の幅は２００ｍｍ以下であり、ガラス基板２上における複数のセル３の専有面積は７５％以下である。それにより、太陽光の７５％以下を複数のセル３により受けて発電しつつ残りの太陽光によりガラス基板２を介して太陽光発電パネル１の設置場所を照らすことができ、セル３の短手方向を東西方向に向けることにより設置場所の一か所において連続して遮られる時間を短くすることができる。
【００３３】
また、本実施形態の太陽光発電設備２０は、複数の太陽光発電パネル１と太陽光発電パネル１を地面から２ｍ以上の高さに設置する架台１０とを備える。架台１０により複数の太陽光発電パネル１が地面から２ｍ以上の高さに設置されることで、複数の太陽光発電パネル１により発電しつつ、太陽光発電パネル１が設置された場所及び太陽光発電パネル１の下の空間を活用することができる。
【００３４】
なお、複数のセル３の形状は矩形状でもよく、係る場合、短手方向を縦方向に向けて基板２上に配列する、すなわち短手方向を東西方向に向けて太陽光発電パネル１を取付板２１を介して架台１０上に設置して太陽光発電設備２０を構成することとする。それにより、太陽光発電パネル１の設置場所の一か所において太陽光が連続して遮られる時間を短くすることができる。
【００３５】
セルの短手方向の長さを２００ｍｍとし、太陽光発電パネル１を地面から２ｍの高さに設置する場合、南中前後（正午前後）の時間において、一か所の太陽光が連続して遮られる時間はおよそ１２分である。南中前後で長時間太陽光がさえぎられてしまう箇所がなく、南中前後の強い太陽光が、設置場所（農地）にほぼ均等に照射される。
【００３６】
また、太陽光発電パネル１の設置場所の一か所において連続して遮られる時間を短くする目的において、基板２上における複数のセル３の横方向（すなわち、農地Ｆ上に設置された太陽光発電設備２０における南北方向）の離間距離は、縦方向（東西方向）の離間距離より短くてもよい。
【産業上の利用可能性】
【００３７】
本発明の太陽光発電パネルは、太陽光の一部を受けて発電しつつ、残りの太陽光により設置場所を照らす、しかし連続して遮られる時間を短くするのに好適である。
【符号の説明】
【００３８】
１  太陽光発電パネル
２  基板（ガラス基板）
３  セル
１０  架台
１１  ポール
１２  フレーム
２０  太陽光発電設備
２１…取付板
【図１】
2017112233.tif 000003
【図２】
2017112233.tif 000004